(57)【要約】【課題】でんぷん等が多く含まれる高負荷な排水が流入した場合においても、効率のよい排水処理を安定して行うことのできる有機排水の処理装置を提供する。【解決手段】有機排水の好気性処理を行う第１の処理手段と、第１の処理手段で好気性処理された処理水の濾過処理を行う第２の処理手段と、第１の処理手段で好気性処理された処理水のさらなる好気性処理を行う第３の処理手段とを少なくとも備え、第２の処理手段で濾過処理された処理水の少なくとも一部を第１の処理手段に戻すように構成され、第３の処理手段でさらなる好気性処理された処理水の少なくとも一部を第１の処理手段に戻すように構成されている。【選択図】図１
2011235220.tif 000002
【特許請求の範囲】
【請求項１】
有機排水の好気性処理を行う第１の処理手段と、前記第１の処理手段で好気性処理された処理水の濾過処理を行う第２の処理手段と、前記第１の処理手段で好気性処理された処理水のさらなる好気性処理を行う第３の処理手段とを少なくとも備え、
前記第２の処理手段で濾過処理された処理水の少なくとも一部を前記第１の処理手段に戻すように構成され、
前記第３の処理手段でさらなる好気性処理された処理水の少なくとも一部を前記第１の処理手段に戻すように構成されていることを特徴とする有機排水の処理装置。
【請求項２】
前記第１の処理手段及び前記第３の処理手段に微生物固定担体が配置され、かつ、前記第１の処理手段及び前記第３の処理手段の処理水は、各処理手段の下部に設けられた排出部から引き抜かれて移送されるように構成されていることを特徴とする請求項１に記載の有機排水の処理装置。
【請求項３】
前記第１の処理手段に供給される有機排水中に含まれるでんぷんの酵素分解処理を行う前処理手段を備えることを特徴とする請求項１又は２に記載の有機排水の処理装置。
【請求項４】
有機排水の好気性処理を行う第一好気性処理槽と、前記第一好気性処理槽に接続されている、該第一好気性処理槽から移送される好気性処理された処理水のさらなる好気性処理を行う第二好気性処理槽と、前記第二好気性処理槽に接続されている、該第二好気性処理槽から移送されるさらなる好気性処理された処理水の濾過処理を行う濾過処理槽と、前記第二好気性処理槽に接続されている、該第二好気性処理槽から移送されるさらなる好気性処理された処理水の好気性処理を行う第三好気性処理槽とを備え、
前記濾過処理槽によって濾過処理された処理水の少なくとも一部を前記第二好気性処理槽に戻すように構成され、
前記第三好気性処理槽によって好気性処理された処理水の少なくとも一部を前記第一好気性処理槽に戻すように構成され、
該第三好気性処理槽によって好気性処理された前記処理水の一部を外部へ排出するように構成されていることを特徴とする有機排水の処理装置。
【請求項５】
前記第一好気性処理槽、前記第二好気性処理槽及び前記第三好気性処理槽には微生物固定担体が配置され、かつ、前記第一好気性処理槽、前記第二好気性処理槽及び前記第三好気性処理槽から移送される処理水は、各槽の下部に設けられた排出部から引き抜かれて移送されるように構成されていることを特徴とする請求項４に記載の有機排水の処理装置。
【請求項６】
前記第一好気性処理槽に接続されており、有機排水中に含まれるでんぷんの酵素分解処理を行う前処理槽を備えることを特徴とする請求項４又は５に記載の有機排水の処理装置。
【発明の詳細な説明】
【技術分野】
【０００１】
本発明は、例えばうどんのゆで汁、米のとぎ汁等の有機排水を処理する処理装置に関する。
【背景技術】
【０００２】
環境水の水質基準を確保するため、下水道や排水施設の整備が進められている。水質汚濁防止法等においては、工業・事業場排水規制の対象となる特定事業場を当該事業場の排水量（５０ｍ３／日以上）で特定し、排水規制が行われている。しかしながら、最近になって、上記規制の係らない小規模事業所の排水による水質汚濁が問題となっている。
【０００３】
たとえば、香川県では、うどん店のうどんのゆで汁を含む排水等により、河川の水質が悪化するという問題が生じている。そのため、香川県では、うどん店や製麺業者等の小規模事業所（排水量１０ｍ３／日以上）についても排水規制の対象とするべく、生活環境の保全に関する条例が平成２１年に改正された。
【０００４】
うどん店の排水はでんぷんを多く含むためにＴＯＣ（全有機炭素）、ＢＯＤ（生物化学的酸素要求量）及びＣＯＤ（化学的酸素要求量）が高く、高負荷であること、そして、高温のゆで汁を含むために排水温が高いことが特徴である。したがって、このような排水の特徴に適応した排水処理装置が求められている。
【０００５】
そこで、本願出願人は、でんぷんを含む排水として、たとえば、麺類の製造時に発生する排水や米のとぎ汁を主とする有機排水を処理対象とする有機排水の処理装置について提案している（特願２００９−３８１５号、平成２１年１月９日出願）。この処理装置は、主に好気性処理槽と生物濾過槽とからなり、これらの好気性処理槽及び生物濾過槽に散気装置を設けて両槽内での有機物分解能を向上させると共に、好気性処理槽と生物濾過槽に亘り処理水が循環するように形成したものである。
【０００６】
また、特許文献１には、特定の種の生澱粉分解酵母又は細菌を担体に固定させて得られたバイオリアクター及び該バイオリアクターからなる排水処理システムが記載されている。
【先行技術文献】
【特許文献】
【０００７】
【特許文献１】特開２０００−１０７７９３号公報
【発明の概要】
【発明が解決しようとする課題】
【０００８】
特願２００９−３８１５号に記載された有機排水の処理装置では、排水は好気性処理槽と生物濾過槽とで曝気されるが、排水はこれらの槽を循環することで、徐々に有機物が分解されて処理される。それゆえ、著しく高負荷な排水が多量に処理槽内に導入された場合には、有機物の分解が追い付かずにでんぷんの中間分解生成物である有機酸が発生し、処理水のｐＨが低下したり、ＣＯＤ濃度に比してＴＯＣ濃度が高くなる可能性を有する。
【０００９】
特許文献１に記載されたバイオリアクターでは、特定の種の酵母又は細菌のもつ生澱粉分解能を利用した浄化を目的としている。そのため、排水処理能力は固定されている酵母又は細菌の状態に影響を受けて変化しやすい。それゆえ、処理時間の経過とともに有用でない他の細菌が担体に優占的に固定されて生澱粉分解能が低下したり、担体に固定された特定の酵母等の状態が悪くなると再固定されるまでに時間がかかり、排水処理が長期間滞る可能性がある。
【００１０】
本発明は上述した点に鑑み案出されたもので、その目的はでんぷん等が多く含まれる高負荷な排水が流入した場合においても、効率のよい排水処理を安定して行うことのできる有機排水の処理装置を提供することにある。
【課題を解決するための手段】
【００１１】
上記課題を解決するため、本発明の有機排水の処理装置は、有機排水の好気性処理を行う第１の処理手段と、第１の処理手段で好気性処理された処理水の濾過処理を行う第２の処理手段と、第１の処理手段で好気性処理された処理水のさらなる好気性処理を行う第３の処理手段とを少なくとも備え、第２の処理手段で濾過処理された処理水の少なくとも一部を第１の処理手段に戻すように構成され、第３の処理手段でさらなる好気性処理された処理水の少なくとも一部を第１の処理手段に戻すように構成されている。
【００１２】
第１の処理手段において、処理すべき有機排水の好気性処理が行われる。この第１の処理手段において好気性処理され、第３の処理手段でさらなる好気性処理が施された処理水の少なくとも一部が第１の処理手段に戻り、その結果、第１の処理手段に存在している処理水のＴＯＣ、ＢＯＤ又はＣＯＤ等の濃度が低減される。そのため、有機排水の浄化処理の時間を長くとることができると共に、各処理手段における単位体積あたりのＴＯＣ等の有機物負荷が減少して効率よく好気性処理を行うことができ、充分に有機排水を浄化することができる。
【００１３】
また、第２の処理手段において濾過処理が施された処理水の少なくとも一部は第１の処理手段に戻り、第１の処理手段と第２の処理手段との間で処理水が循環するように構成されている。そのため、水中に含まれる浮遊物質（ＳＳ）等が第２の処理手段に備えられた濾過材に吸着除去されて、濁度の低い処理水を得ることができると共に、有機排水の好気性処理の時間を長くとることができる。
【００１４】
第１の処理手段及び第３の処理手段に微生物固定担体が配置され、かつ、第１の処理手段及び第３の処理手段の処理水は、各処理手段の下部に設けられた排出部から引き抜かれて移送されるように構成されていることが好ましい。
【００１５】
好気性処理が行われる第１の処理手段及び第３の処理手段に配置された微生物固定担体に微生物が担持され、好気性処理を行う微生物の流出を防ぐ。また、第１の処理手段及び第３の処理手段からの処理水は各処理手段の下部に設けられた排出部から引き抜かれて移送されるが、このとき、各処理手段に発生した余剰汚泥も処理水の移送と共に引き抜かれる。そのため、装置の維持管理において、各処理手段の余剰汚泥を排出する必要がなく、メンテナンスを容易にすることができる。
【００１６】
第１の処理手段に供給される有機排水中に含まれるでんぷんの酵素分解処理を行う前処理手段を備えることも好ましい。
【００１７】
前処理手段では、有機排水に含まれるでんぷんの酵素分解処理が行われる。この酵素分解処理により、有機排水中に含まれるでんぷん（炭水化物）がでんぷんよりも分子量の小さい糖類等に変換され、後の第１の処理手段での好気性処理において有機物が効率よく分解される。
【００１８】
さらに、本発明の有機排水の処理装置は、有機排水の好気性処理を行う第一好気性処理槽と、第一好気性処理槽に接続されている、第一好気性処理槽から移送される好気性処理された処理水のさらなる好気性処理を行う第二好気性処理槽と、第二好気性処理槽に接続されている、第二好気性処理槽から移送されるさらなる好気性処理された処理水の濾過処理を行う濾過処理槽と、第二好気性処理槽に接続されている、第二好気性処理槽から移送されるさらなる好気性処理された処理水の好気性処理を行う第三好気性処理槽とを備え、濾過処理槽によって濾過処理された処理水の少なくとも一部を第二好気性処理槽に戻すように構成され、第三好気性処理槽によって好気性処理された処理水の少なくとも一部を第一好気性処理槽に戻すように構成され、第三好気性処理槽によって好気性処理された処理水の一部を外部へ排出するように構成されている。
【００１９】
第一好気性処理槽に処理すべき有機排水が流入し、好気性処理が行われる。この第一好気性処理槽において好気性処理され、第二好気性処理槽でさらなる好気性処理が施され、加えて第三好気性処理槽にて好気性処理が施された処理水の少なくとも一部が第一好気性処理槽に戻り、その結果、第一好気性処理槽に存在している処理水のＴＯＣ、ＢＯＤ又はＣＯＤ等の濃度が低減される。そのため、有機排水の好気性処理の時間を長くとることができると共に、各好気性処理槽における単位体積あたりのＴＯＣ等の有機物負荷が減少して効率よく好気性処理を行うことができ、充分に有機排水を浄化することができる。
【００２０】
また、濾過処理槽において濾過処理が施された処理水の少なくとも一部は再び第二好気性処理槽に戻り、好気性処理が行われる第二好気性処理槽と濾過処理が行われる濾過処理槽との間で処理水が循環するように構成されている。そのため、水中に含まれる浮遊物質（ＳＳ）等が濾過処理槽内の濾過材に吸着除去されて、濁度の低い処理水を得ることができると共に、有機排水の好気性処理の時間を長くとることができる。
【００２１】
第一好気性処理槽、第二好気性処理槽及び第三好気性処理槽には微生物固定担体が配置され、かつ、第一好気性処理槽、第二好気性処理槽及び第三好気性処理槽から移送される処理水は、各槽の下部に設けられた排出部から引き抜かれて移送されるように構成されていることが好ましい。
【００２２】
好気性処理が行われる第一好気性処理槽、第二好気性処理槽及び第三好気性処理槽に配置された微生物固定担体に微生物が担持され、好気性処理を行う微生物の流出を防ぐ。また、これらの好気性処理槽からの処理水は各槽の下部に設けられた排出部から引き抜かれて移送されるが、このとき、各槽で発生した余剰汚泥も処理水の移送と共に引き抜かれる。そのため、装置の維持管理において、各槽の余剰汚泥を排出する必要がなく、メンテナンスを容易にすることができる。
【００２３】
第一好気性処理槽に接続されており、有機排水中に含まれるでんぷんの酵素分解処理を行う前処理槽を備えることも好ましい。
【００２４】
前処理槽では、有機排水に含まれるでんぷんの酵素分解処理が行われる。この酵素分解処理により、有機排水中に含まれるでんぷん（炭水化物）がでんぷんよりも分子量の小さい糖類等に変換され、後の第一好気性処理槽における好気性処理で有機物が効率よく分解される。
【発明の効果】
【００２５】
本発明によれば、以下のような優れた効果を有する有機排水の処理装置を提供することができる。
（１）第３の処理手段からの処理水を第１の処理手段に戻すことで、第１の処理手段内の全ＴＯＣ（有機性炭素）等の濃度を低くし、各処理手段における単位体積あたりの有機物負荷を低減させて効率よく好気性処理を行うことができると共に、好気性処理の時間を長くとり、充分に有機排水を浄化することができる。
（２）第１の処理手段と第２の処理手段との間で処理水が循環することにより、水中に含まれる浮遊物質（ＳＳ）等が第２の処理手段内部に備えられた濾過材に吸着除去され、濁度の低い処理水が得られる。
（３）微生物固定担体に微生物が担持されているため、好気性処理を行う微生物が槽内に維持されると共に、第１の処理手段及び第３の処理手段に発生した余剰汚泥は処理水の移送と共に引き抜かれるため、各処理手段に発生する余剰汚泥を引き抜き清掃する必要がなく、装置の維持管理を容易にすることができる。
（４）でんぷんの酵素分解処理を行う前処理手段にて、有機排水中に含まれるでんぷんが糖類に変換されるため、のちの好気性処理において効率のよい有機物の分解が行われる。
（５）第三好気性処理槽からの処理水を第一好気性処理槽に戻すことで、第一好気性処理槽内の全ＴＯＣ（有機性炭素）等の濃度を低くし、各好気性処理槽における単位体積あたりの有機物負荷を低減させて効率よく好気性処理を行うことができると共に、好気性処理の時間を長くとり、充分に有機排水を浄化することができる。
（６）第二好気性処理槽と濾過処理槽との間で処理水が循環することにより、水中に含まれる浮遊物質（ＳＳ）等が濾過処理槽内の濾過材に吸着除去され、濁度の低い処理水が得られる。
（７）微生物固定担体に微生物が担持されているため、好気性処理を行う微生物が槽内に維持されると共に、第一好気性処理槽、第二好気性処理槽及び第三好気性処理槽で発生した余剰汚泥は処理水の移送と共に引き抜かれるため、各好気性処理槽に発生する余剰汚泥を引き抜き清掃する必要がなく、装置の維持管理を容易にすることができる。
（８）でんぷんの酵素分解処理を行う前処理槽にて、有機排水中に含まれるでんぷんが糖類に変換されるため、のちの好気性処理において効率のよい有機物の分解が行われる。
【図面の簡単な説明】
【００２６】
【図１】本発明の第一の実施形態に係る有機排水の処理装置の全体構成を概略的に示すブロック図である。
【図２】図１の実施形態における有機排水の処理装置の全体構成をより詳細に示す構成図である。
【図３】図１の実施形態における第一好気性処理槽での酵素分解処理にかかる説明図である。
【図４】図１の実施形態における第一好気性処理槽での好気性処理にかかる説明図である。
【図５】図１の実施形態における第二好気性処理槽での好気性処理にかかる説明図である。
【図６】図１の実施形態における第二好気性処理槽と濾過処理槽との間の処理水の循環を示す説明図である。
【図７】図１の実施形態における第三好気性処理槽での好気性処理にかかる説明図である。
【図８】本発明の第二の実施形態に係る有機排水の処理装置の全体構成を概略的に示すブロック図である。
【発明を実施するための形態】
【００２７】
以下、図面を参照して本発明の実施形態について説明する。
【００２８】
図１に示すように、本発明の第一の実施形態における有機排水の処理装置１は、流入した有機排水Ｗ０について好気性処理を行う第一好気性処理槽２を備える。また、この処理装置１は、第一好気性処理槽２で好気性処理され、その下部から排出された処理水Ｗ１のさらなる好気性処理を行う第二好気性処理槽３と、その第二好気性処理槽３の下部から排出された処理水Ｗ２の濾過処理を行う濾過処理槽４とを備える。後述するように、本実施形態における濾過処理槽は、濾過処理槽４ａ及び濾過処理槽４ｂの２槽から構成されている（図２）。この濾過処理槽４からの処理水Ｗ３は第二好気性処理槽３に戻り、第二好気性処理槽３と濾過処理槽４との間を循環するように構成されている。さらに、処理装置１は、第二好気性処理槽３でさらなる好気性処理された処理水Ｗ２の好気性処理を行う第三好気性処理槽５を備える。この第三好気性処理槽５で好気性処理され、その下部から排出された処理水Ｗ４の少なくとも一部は第一好気性処理槽２に戻るように構成されている。第三好気性処理槽５での好気性処理により浄化され、この第三好気性処理槽５の上部からオーバーフローした処理水Ｗ５は外部に排出される。
【００２９】
処理装置１の処理対象たる処理すべき有機排水Ｗ０とは、特に限定されるものではないが、高負荷な排水であって、例えば、でんぷんを含むうどん等の麺類のゆで汁、米のとぎ汁又はその他食品の製造時に発生する排水が挙げられる。
【００３０】
次に、図２を用いて、本実施形態における処理装置１の全体構成をより詳細に説明する。本実施形態における処理装置１に備えられた第一好気性処理槽２には、好気性処理を行うための散気装置２０と槽内の水温を測定する温度センサ２１と微生物固定担体２２とが設けられている。この散気装置２０はブロワ管８１を介してブロワ８に接続されている。さらに、第一好気性処理槽２には、処理水Ｗ１を排出する排出部２３と処理すべき有機排水等が流入する流入部２４とが設けられている。そして、第一好気性処理槽２の下部に設けられた排出部２３は流路Ｌ６に接続されており、第一好気性処理槽２の上部に設けられた流入部２４は流路Ｌ３に接続されている。この流路Ｌ３は、電磁弁、流路Ｌ２及びポンプＰ１を介して有機排水Ｗ０が流入する流路Ｌ１と、第三好気性処理槽５からの処理水Ｗ４が流入する流路Ｌ４に電磁弁、流路Ｌ２、ポンプＰ１、流路Ｌ５及び電磁弁を介して接続されている。以上述べた及び以下に述べる流路は、有機排水Ｗ０や処理水Ｗ１〜Ｗ５を移送できるものであればよく、例えば、パイプ又はホース等から構成される。
【００３１】
図２に示すように、本実施形態の処理装置１には、有機物を分解する酵素液７１を第一好気性処理槽２に添加することができる酵素添加装置７が設けられている。酵素添加装置７は、酵素液７１を収容している薬液タンク７０と、この薬液タンク７０から第一好気性処理槽２へ酵素液７１を移送するパイプ７２とパイプ７２に設置されるポンプ７３とから主に構成されている。ここで用いられる酵素とは、主にでんぷん分解酵素であるアミラーゼが用いられるが、有機排水に含まれる成分により適宜選択され、蛋白質分解酵素であるプロテアーゼや油脂分解酵素であるリパーゼ等も用いることができる。
【００３２】
図２に示す処理装置１に備えられた第二好気性処理槽３について説明する。第二好気性処理槽３には、好気性処理を行うための散気装置３０と槽内の水温を測定する温度センサ３１と微生物固定担体３２とが設けられている。この散気装置３０はブロワ管８２を介してブロワ８に接続されている。さらに、第二好気性処理槽３には、処理水Ｗ２を排出する排出部３３及び３４が設けられ、第一好気性処理槽２からの処理水Ｗ１及び濾過処理槽４ｂからの処理水Ｗ３ｂが流入する流入部３５並びに濾過処理槽４ａからの処理水Ｗ３ａが流入する流入部３６が設けられている。そして、第二好気性処理槽３の下部に設けられた排出部３３は流路Ｌ９に接続されており、排出部３４は流路Ｌ１２に接続されている。また、第二好気性処理槽３の上部に設けられた流入部３５は流路Ｌ８に接続されており、この流路Ｌ８は、第一好気性処理槽２からの処理水Ｗ１が流入する流路Ｌ６に電磁弁、流路Ｌ７、ポンプＰ２及び電磁弁を介して接続されていると共に、濾過処理槽４ｂからの処理水Ｗ３ｂが戻る流路Ｌ１１とも接続されている。さらに流入部３６は、濾過処理槽４ａからの処理水Ｗ３ａが戻る流路Ｌ１５に電磁弁を介して接続されている。
【００３３】
次に、図２に示す本実施形態における処理装置１に備えられた濾過処理槽４ａ及び４ｂについて説明する。本実施形態においては、濾過処理槽が２槽備えられているが、濾過処理槽の数は特に限定されず、濾過材の種類等による濾過処理の能力等により選択される。濾過処理槽４ａには、濾過処理を行うための濾過材４０ａが備えられている。濾過材４０ａは、特に限定されないが、表面に凹凸があり物質を吸着できるものであればよく、具体的には燻炭や活性炭等が挙げられる。さらに、濾過処理槽４ａには、処理水Ｗ３ａを排出する排出部４１ａと第二好気性処理槽３からの処理水Ｗ２が流入する流入部４２ａとが設けられている。そして、濾過処理槽４ａの下部に設けられた排出部４１ａは流路Ｌ１５に接続されている。また、濾過処理槽４ａの上部に設けられた流入部４２ａは流路Ｌ１４に接続されており、この流路Ｌ１４は、第二好気性処理槽３からの処理水Ｗ２が流入する流路Ｌ１２に電磁弁、流路Ｌ１３、電磁弁、流路Ｌ２、ポンプＰ１及び電磁弁を介して接続されている。
【００３４】
他方、濾過処理槽４ｂにも濾過処理槽４ａと同様に、濾過材４０ｂが備えられ、処理水Ｗ３ｂを排出する排出部４１ｂと第二好気性処理槽３からの処理水Ｗ２が流入する流入部４２ｂとが設けられている。そして、濾過処理槽４ｂの下部に設けられた排出部４１ｂは流路Ｌ１１に接続されている。また、濾過処理槽４ｂの上部に設けられた流入部４２ｂは流路Ｌ１０に接続されており、この流路Ｌ１０は、第二好気性処理槽３からの処理水Ｗ２が流入する流路Ｌ９に電磁弁、流路Ｌ７、ポンプＰ２及び電磁弁を介して接続されている。
【００３５】
最後に、図２に示す本実施形態の処理装置１に備えられた第三好気性処理槽５について説明する。第三好気性処理槽５には、好気性処理を行うための散気装置５０と微生物固定担体５１とが設けられている。この散気装置５０はブロワ管８３を介してブロワ８に接続している。さらに、第三好気性処理槽５には、処理水Ｗ４を排出すると共に第二好気性処理槽３からの処理水Ｗ２を流入する流入部５２が設けられ、処理水Ｗ５をオーバーフローにより排出する排出部５３が設けられている。そして、第三好気性処理槽５の下部に設けられた排出部５２は流路Ｌ４に接続されており、この流路Ｌ４は、電磁弁、流路Ｌ１６、電磁弁、流路Ｌ２、ポンプＰ１及び電磁弁を介して第二好気性処理槽３からの処理水Ｗ２が流れる流路Ｌ１２に接続されている。さらに、第三好気性処理槽５の上部に設けられた排出部５３は流路Ｌ１７に接続されている。
【００３６】
次に、本実施形態における処理装置１の動作を図３〜図７に基づいて説明する。
【００３７】
図３に示すように、処理すべき有機排水Ｗ０は、有機排水の供給口からポンプＰ１により汲み上げられて流路Ｌ１、流路Ｌ２、制御装置（図示せず）によって制御される電磁弁及び流路Ｌ３を通り、第一好気性処理槽２の流入部２４より流入する。以上述べた及び以下に述べる有機排水Ｗ０や処理水Ｗ１〜Ｗ５を移送する流路Ｌ１〜Ｌ１７による経路は、制御装置によって制御される電磁弁により、流路Ｌ１〜Ｌ１７が切り替わることで構成される。有機排水Ｗ０が第一好気性処理槽２に溜まると、でんぷん分解酵素液７１が酵素添加装置７より添加され、有機排水Ｗ０中に含まれるでんぷんの酵素分解処理が行われる。この酵素分解処理により、有機排水中に含まれるでんぷん（炭水化物）がでんぷんよりも分子量の小さい糖類等に変換される。それゆえ、引き続き行われる好気性処理において有機物が効率よく分解される。
【００３８】
処理すべき有機排水Ｗ０に麺類のゆで汁が含まれる等して排水の温度が比較的高い場合には、でんぷん分解酵素の酵素活性が高くなるため、酵素分解処理をより効率よく進ませることができる。第一好気性処理槽２内の水温は温度センサ２１でモニタされており、この温度センサ２１からの信号は制御装置に転送され、一定の温度に槽内の水温が低下するまで、後述する第三好気性処理槽５からの処理水Ｗ４の流入を待機状態とし、第一好気性処理槽２での酵素分解反応を維持するように制御される。例えば、６０℃程度の排水が第一好気性処理槽に流入した場合、排水温が約４０℃に下がるまで、制御装置により第三好気性処理槽５からの処理水Ｗ４の第一好気性処理槽２への流入は行われないよう制御され、上記温度範囲におけるでんぷん分解酵素による分解処理が効率よく行われるように制御されている。
【００３９】
なお、上述した酵素による分解処理は必ず行う必要はなく、排水中に含まれる成分によって適宜選択されうる。また、例えば、蛋白質や油脂を多く含むような有機排水については、上記のでんぷん分解酵素に変えて蛋白質分解酵素やリパーゼ等を用い酵素分解処理を行うこともできる。
【００４０】
そして、図４に示すように、酵素分解処理が行われた後には、引き続いて第一好気性処理槽２にて好気性処理が行われる。このとき、第三好気性処理槽５からの処理水Ｗ４が流路Ｌ４から電磁弁、流路Ｌ５、ポンプＰ１、流路Ｌ２、電磁弁及び流路Ｌ３を通り、第一好気性処理槽２の流入部２４より流入する。この処理水Ｗ４の第一好気性処理槽への流入は電磁弁及びポンプＰ１等を通じて制御装置で制御され、一定の水位に達するまで流入される。この処理水Ｗ４は、第一好気性処理及び第二好気性処理、第三好気性処理が施されていることから、処理水Ｗ４中のＴＯＣ、ＢＯＤ又はＣＯＤ等の濃度は、処理すべき有機排水Ｗ０に含まれるものと比べて低い。そのため、第一好気性処理槽２内の有機排水中のＴＯＣ、ＢＯＤ又はＣＯＤ等の濃度が低減し、第一好気性処理槽における単位体積あたりの有機物負荷が減少する。
【００４１】
このように、第一好気性処理槽２では、満たされている有機排水Ｗ０及び処理水Ｗ４について、散気装置２０による曝気が行われ、好気性処理が行われる。好気性処理を行う好気性微生物が固定された微生物固定担体２２は第一好気性処理槽２に複数配置されている。微生物固定担体２２を用いることで、この第一好気性処理槽２から排出される処理水Ｗ１の移送による好気性微生物数の変動を防ぐと共に、第一好気性処理槽２内全体での安定した高効率な処理を行うことができる。微生物固定担体２２は、特に限定されないが、第一好気性処理槽２の下部に設けられた排水部２３から流出しない程度の大きさであるものがよく、例えばＢＢ材（株式会社菊池エコアース社製品）などが用いられる。この第一好気性処理槽２における好気性処理により、例えば、でんぷんの酵素分解により生成した糖類が分解されて有機酸が生成するなど、有機排水Ｗ０に含まれていた有機物の浄化処理が進行する。
【００４２】
さらに、第一好気性処理槽２からの処理水Ｗ１は第一好気性処理槽２の下部に設けられた排出部２３から引き抜かれて移送されるが、このとき、第一好気性処理槽２内に発生した余剰汚泥も処理水Ｗ１の移送と共に引き抜かれる。そのため、処理装置１の維持管理において、第一好気性処理槽２内の余剰汚泥を引き抜き清掃する必要がなく、メンテナンスが容易である。
【００４３】
次に、図５に示すように、第一好気性処理槽２からの処理水Ｗ１はポンプＰ２により汲みあげられて流路Ｌ６から電磁弁、流路Ｌ７、電磁弁及び流路Ｌ８を通り、第二好気性処理槽３の流入部３５から流入する。この処理水Ｗ１の第二好気性処理槽３への流入は電磁弁及びポンプＰ２等を通じて制御装置で制御されている。そして、第二好気性処理槽３に満たされている処理水について、散気装置３０により曝気され、好気性処理が行われる。好気性処理を行う好気性微生物は、前述した第一好気性処理槽２での状態と同様に、微生物固定担体３２に固定されて第二好気性処理槽３に複数配置されている。微生物固定担体３２を用いることで、この第二好気性処理槽３から排出される処理水Ｗ２の移送による好気性微生物数の変動を防ぐと共に、第二好気性処理槽３内全体での安定した高効率な処理を行うことができる。微生物固定担体３２は、特に限定されないが、第二好気性処理槽３の下部に設けられた排水部３３及び３４から流出しない程度の大きさであるものがよく、例えばＢＢ材（株式会社菊池エコアース社製品）などが用いられる。この第二好気性処理槽３における好気性処理により、例えば、第一好気性処理槽２で生成した有機酸が分解されるなど、有機物の浄化処理がさらに進行する。
【００４４】
さらに、第二好気性処理槽３からの処理水Ｗ２は第二好気性処理槽３の下部に設けられた排出部３３及び３４から引き抜かれて移送されるが、このとき、第二好気性処理槽３内に発生した余剰汚泥も処理水Ｗ２の移送と共に引き抜かれる。そのため、処理装置１の維持管理において、第二好気性処理槽３内の余剰汚泥を引き抜き清掃する必要がなく、メンテナンスが容易である。
【００４５】
次に、図６に示すように、第二好気性処理槽３からの処理水Ｗ２はポンプＰ１により汲みあげられて流路Ｌ１２から電磁弁、流路Ｌ２、電磁弁、流路Ｌ１３、電磁弁及び流路Ｌ１４を通り、濾過処理槽４ａの流入部４２ａから流入する。この処理水Ｗ２の濾過処理槽４ａへの流入は電磁弁及びポンプＰ１等を通じて制御装置で制御されている。そして、濾過処理槽４ａに流入した処理水Ｗ２は、濾過処理槽４ａの内部に充填された濾過材４０ａの隙間から下方に流れ落ちる。この際、処理水Ｗ２中に含まれる各好気性処理槽で発生した余剰汚泥を含む浮遊物質（ＳＳ）等は濾過材４０ａに吸着されて除去される。濾過材４０ａの隙間を通過して浄化された処理水Ｗ３ａは、濾過処理槽４ａの下部の排出部４１ａから流路Ｌ１５及び電磁弁を通り、再び第二好気性処理槽３の上部に設けられた流入部３６より流入する。このように、第二好気性処理槽３と濾過処理槽４ａとの間で、処理水Ｗ２及びＷ３ａが循環するように構成されている。
【００４６】
この濾過処理槽４ａにおける濾過処理により、処理水Ｗ２中に含まれる浮遊物質（ＳＳ）等が減り、濁度の低い処理水を得ることができる。そして、第二好気性処理槽３と濾過処理槽４ａとの間で処理水Ｗ２及びＷ３が循環するため、処理水の好気性処理の時間を長くとることができ、有機物の分解がさらに促進される。また、各好気性処理槽で発生した余剰汚泥は濾過処理槽４ａの濾過材４０ａに吸着されて除去されるため、処理装置１の余剰汚泥の引き抜き清掃にあたっては濾過処理槽４ａ内の濾過材４０ａを交換するだけでよく、メンテナンスが容易である。
【００４７】
他方、図６に示す濾過処理槽４ｂにおいても、第二好気性処理槽３からの処理水Ｗ２はポンプＰ２により汲みあげられて流路Ｌ９から電磁弁、流路Ｌ７、電磁弁及び流路Ｌ１０を通り、濾過処理槽４ｂの流入部４２ｂから流入する。この処理水Ｗ２の濾過処理槽４ｂへの流入は電磁弁及びポンプＰ２等を通じて制御装置で制御されている。そして、濾過処理槽４ｂに流入した処理水Ｗ２は、濾過処理槽４ｂの内部に充填された濾過材４０ｂの隙間から下方に流れ落ちる。この際、処理水Ｗ２中に含まれる各好気性処理槽で発生した余剰汚泥を含む浮遊物質（ＳＳ）等は濾過材４０ｂに吸着されて除去される。濾過材４０ｂの隙間を通過して浄化された処理水Ｗ３ｂは、濾過処理槽４ｂの下部の排出部４１ｂから流路Ｌ１１及びＬ８を通り、再び第二好気性処理槽３の上部に設けられた流入部３５より流入する。このように、前述した濾過処理槽４ａと同様に、第二好気性処理槽３と濾過処理槽４ｂとの間で、処理水Ｗ２とＷ３ｂが循環するように構成されており、作用効果も同様である。
【００４８】
なお、濾過処理槽４ａ及び濾過処理槽４ｂの内部にそれぞれ散気装置を設け、エアレーションによる好気性処理を濾過処理と併せて行うこともできる。
【００４９】
次に、図７に示すように、第二好気性処理槽３からの処理水Ｗ２はポンプＰ１により汲みあげられて流路Ｌ１２から電磁弁、流路Ｌ２、電磁弁、流路Ｌ１６、電磁弁及び流路Ｌ４を通り、第三好気性処理槽５の流入部５２から流入する。この処理水Ｗ２の第三好気性処理槽５への流入は電磁弁及びポンプＰ１等を通じて制御装置で制御されている。そして、第三好気性処理槽５に満たされている処理水について、散気装置５０により曝気され、好気性処理が行われる。好気性処理を行う好気性微生物は、前述した第一好気性処理槽２及び第二好気性処理槽３での状態と同様に、微生物固定担体５１に固定されて第三好気性処理槽５に複数配置されている。微生物固定担体５１を用いることで、処理水Ｗ４の移送による好気性微生物数の変動を防ぐと共に、第三好気性処理槽５内全体での安定した高効率な処理を行うことができる。微生物固定担体５１は、第三好気性処理槽５の下部に設けられた排水部（流入部）５２から流出しない程度の大きさであるものがよく、例えばＢＢ材（株式会社菊池エコアース社製品）などが用いられる。この第三好気性処理槽５における好気性処理により、処理すべき有機排水Ｗ０中に含まれる有機物の大部分が分解される。浄化された第三好気性処理槽５内の上澄みの処理水Ｗ５は、第三好気性処理槽の上部に設けられた排出部５３からオーバーフローにより処理装置１の外へ排出される。
【００５０】
さらに、第三好気性処理槽５からの処理水Ｗ４は第三好気性処理槽５の下部に設けられた排出部５２から引き抜かれて移送されるが、このとき、第三好気性処理槽５内に発生した余剰汚泥も処理水Ｗ４の移送と共に引き抜かれる。そのため、処理装置１の維持管理において、第三好気性処理槽５内の余剰汚泥を引き抜き清掃する必要がなく、メンテナンスが容易である。
【００５１】
本実施形態における処理装置１は、連続処理又はバッチ処理、これらを組み合わせた半連続処理のいずれの処理方法でも用いることができる。
【００５２】
次に、本発明の第二の実施形態における有機排水の処理装置１０について、図８に基づいて説明する。
【００５３】
図８に示すように、本発明の第二の実施形態における有機排水の処理装置１０は、流入した有機排水Ｗ０中に含まれるでんぷんの酵素分解処理を行う前処理槽６を備える。この前処理槽６は第一好気性処理槽２に接続されており、酵素分解処理が施された処理水Ｗ６は前処理槽６から第一好気性処理槽２へ移送されて、好気性処理が行われる。処理水Ｗ６が第一好気性処理槽２に移送された後の処理装置１０の構成は第一の実施形態と同様である。
【００５４】
本実施形態においては、有機排水Ｗ０中に含まれるでんぷん（炭水化物）の酵素分解処理が前処理槽６内で行われる。それゆえ、安定した酵素分解処理を行うことができる。この酵素分解処理により、有機排水Ｗ０中に含まれるでんぷん（炭水化物）がでんぷんよりも分子量の小さい糖類等に変換され、のちの好気性処理において有機物が効率よく分解される。
【００５５】
さらに、有機排水Ｗ０に麺類のゆで汁等が含まれる場合には、排水温度は一般の排水よりも高いことが多く、好気性処理に影響を及ぼす可能性を有するが、本実施形態においては、前処理槽６内で高温の有機排水Ｗ０を適当な温度に冷却することができる。この際には、でんぷん分解酵素の酵素活性も高くなるため、酵素分解処理をより効率よく行うことができる。前処理槽６で冷却及び酵素分解処理された処理水Ｗ６について、第一好気性処理槽２で好気性処理が施される。
【００５６】
次に、本発明の第三の実施形態における有機排水の処理装置について説明する。
【００５７】
本発明の第三の実施形態における有機排水の処理装置は、有機排水の好気性処理を行う第１の処理手段と、第１の処理手段で好気性処理された処理水の濾過処理を行う第２の処理手段と、第１の処理手段で好気性処理された処理水のさらなる好気性処理を行う第３の処理手段とを少なくとも備える。そして、第２の処理手段で濾過処理された処理水の少なくとも一部は第１の処理手段に戻り、第１の処理手段と第２の処理手段との間で処理水が循環するように構成されている。さらに、第３の処理手段でさらなる好気性処理された処理水の少なくとも一部が第１の処理手段に戻るように構成されている。
【００５８】
本実施形態における第１の処理手段は、有機排水について、好気性微生物による好気性処理を行うことができるような構成であればよく、特に限定されないが、具体的には好気性処理槽における散気装置等を用いたエアレーション等が挙げられる。また、第１の処理手段には、処理手段中の好気性微生物が処理水の移送に影響されないように、好気性微生物を固定するための微生物固定担体が第１の処理手段内に配置されていることが好ましい。そして、第１の処理手段から処理手段内部又は他の処理手段に移送される処理水は、第１の処理手段に発生する余剰汚泥と共に引き抜かれるよう、処理手段の下部に排出部が設けられていることが好ましい。さらに、第１の処理手段は複数の好気性処理槽から構成されていてもよく、供給される有機排水中に含まれるでんぷんやたんぱく質などを酵素分解するための酵素添加装置を設けることもできる。
【００５９】
次に、本実施形態における第２の処理手段は、第１の処理手段からの処理水について、濾過処理を行うことができるような構成であればよく、特に限定されないが、具体的には濾過処理槽内部に充填された濾過材による濾過処理等が挙げられる。そして、第２の処理手段は、濾過効率を上げるために、複数の濾過処理槽から構成されていてもよい。
【００６０】
本実施形態における第３の処理手段は、第１の処理手段からの処理水について、好気性微生物による好気性処理を行うことができるような構成であればよく、特に限定されないが、具体的には好気性処理槽における散気装置等を用いたエアレーション等が挙げられる。また、第３の処理手段には、処理手段中の好気性微生物が処理水の移送に影響されないように、好気性微生物を固定するための微生物固定担体が第３の処理手段内に配置されていることが好ましい。そして、第３の処理手段から処理手段内部又は他の処理手段に移送される処理水は、第３の処理手段に発生する余剰汚泥と共に引き抜かれるよう、処理手段の下部に排出部が設けられていることが好ましい。第３の処理手段は複数の好気性処理槽から構成されていてもよい。
【００６１】
本実施形態における処理装置は、第１の処理手段、第２の処理手段及び第３の処理手段の他に、第１の処理手段に供給される有機排水中に含まれるでんぷんの酵素分解処理を行う前処理手段を備えることもできる。そして、さらに、その他の処理手段を備えることも可能である。
【００６２】
本実施形態における処理装置の動作を以下説明する。
【００６３】
有機排水は配管等を通って第１の処理手段に供給され、好気性処理が行われる。このとき、第３の処理手段からの処理水が配管等を通じて第１の処理手段に一部戻り、供給された有機排水と混合される。第３の処理手段からの処理水は、既に第１の処理手段と第３の処理手段とで好気性処理が施されていることから、処理水中のＴＯＣ、ＢＯＤ又はＣＯＤ等の濃度は、供給された有機排水に含まれるものと比べて低い。そのため、第１の処理手段における処理対象たる有機排水中のＴＯＣ、ＢＯＤ又はＣＯＤ等の濃度が低減し、第１の処理手段における単位体積あたりの有機物負荷が減少する。
【００６４】
このように、第１の処理手段では、供給された有機排水及び第３の処理手段からの処理水について、散気装置によるエアレーション等が行われ、好気性処理が行われる。好気性処理を行う好気性微生物が固定された微生物固定担体は特に限定されないが、第１の処理手段の下部に設けられた排水部から流出しない程度の大きさであるものがよく、例えばＢＢ材（株式会社菊池エコアース社製品）などが用いられる。この第１の処理手段における好気性処理により、例えば、でんぷんの酵素分解により生成した糖類が分解されて有機酸が生成するなど、供給された有機排水に含まれていた有機物の浄化処理が進行する。
【００６５】
さらに、第１の処理手段からの処理水は第１の処理手段の下部に設けられた排出部から引き抜かれて移送されるが、このとき、第１の処理手段で発生した余剰汚泥も処理水の移送と共に引き抜かれる。そのため、処理装置の維持管理において、第１の処理手段に発生した余剰汚泥を引き抜き清掃する必要がなく、メンテナンスが容易である。
【００６６】
そして、第１の処理手段により好気性処理が施された処理水は、配管等を通じて第２の処理手段へ移送される。第２の処理手段に流入した処理水は、第２の処理手段の内部に充填された濾過材等の隙間から下方に流れ落ち、処理水中に含まれる余剰汚泥を含む浮遊物質（ＳＳ）等は濾過材等に吸着されて除去される。濾過材等の隙間を通過して浄化された処理水は、配管等を通じて再び第一の処理手段に戻り、第１の処理手段と第２の処理手段との間で、処理水が循環するように構成されている。
【００６７】
この第２の処理手段における濾過処理により、処理水中に含まれる浮遊物質（ＳＳ）等が減り、濁度の低い処理水を得ることができる。そして、第１の処理手段と第２の処理手段との間で、処理水が循環するため、処理水の好気性処理の時間を長くとることができ、有機物の分解がさらに促進される。また、好気性処理により発生した余剰汚泥は第２の処理手段の濾過材等に吸着されて除去されるため、処理装置の余剰汚泥の引き抜き清掃にあたっては第２の処理手段内の濾過材等を交換するだけでよく、メンテナンスが容易である。
【００６８】
次に、第１の処理手段からの処理水は配管等を通じて第３の処理手段へ移送される。そして、散気装置によるエアレーション等が行われ、好気性処理が行われる。好気性処理を行う好気性微生物が固定された微生物固定担体は第１の処理手段と同様のものが用いられる。この第３の処理手段における好気性処理により、供給された有機排水中に含まれる有機物の大部分が分解される。浄化された第３の処理手段からの処理水の上澄みは、例えば、第３の処理手段の上部に設けられた排出部からオーバーフロー等で処理装置の外へ排出されうる。
【００６９】
さらに、第３の処理手段からの処理水は下部に設けられた排出部から引き抜かれて第１の処理手段に移送されるが、このとき、第３の処理手段に発生した余剰汚泥も処理水の移送と共に引き抜かれる。そのため、処理装置の維持管理において、第３の処理手段に発生した余剰汚泥を引き抜き清掃する必要がなく、メンテナンスが容易である。
【００７０】
本実施形態における処理装置の第１の処理手段、第２の処理手段及び第３の処理手段は、連続処理又はバッチ処理、これらを組み合わせた半連続処理のいずれの処理方法でも用いることができる。
【００７１】
以下、実施例を用いて、本発明を詳細に説明する。
【実施例】
【００７２】
図２に示す第一の実施形態にかかる処理装置１について、以下表１に示す内容及び条件で設定した。濾過処理槽Ａ及び濾過処理槽Ｂに充填した濾過材には、燻炭を用いた。また、第一好気性処理槽、第二好気性処理槽及び第三好気性処理槽には微生物固定担体として、ＢＢ材（株式会社菊池エコアース社製品）を１５〜３０本設置した。なお、散気装置によるエアレーション及び第二好気性処理槽と濾過処理槽Ａ及び濾過処理槽Ｂとの間の循環は常時行われるよう設定した。
【００７３】
【表１】
2011235220.tif 000003
【００７４】
このように設定された処理装置を用いて、あるうどん店から排出される排水の浄化処理を行った。このうどん店には３００Ｌ容量のゆで釜があり、一日数百Ｌの排水が生じている。ゆで釜から採取した排水はうどん粉にふくまれるでんぷんを多量に含んでおり、ＣＯＤは２６９３（ｍｇ／Ｌ）、ＴＯＣは１９４１（ｍｇ／Ｌ）であり、ｐＨは３．７２であった。また、この排水は、うどんを茹でるゆで釜から排出されるために、高温であった。
【００７５】
このうどん店からの有機排水の処理は以下のような工程で行った。まず、ゆで釜から排出された高温の排水を第一好気性処理槽に流入させた。次に、酵素添加装置を用いて、この排水に対しアミラーゼの濃度を０．３％となるように添加した。酵素添加後、第一好気性処理槽内の水温を温度センサでモニタし、４２℃に水温が下がるまで、酵素反応工程を維持させた。水温が４２℃まで下がってから、既に好気性処理が行われた第三好気性処理槽からの処理水を第一好気性処理槽内が満水になるまで返送させた。ここで得られた第一好気性処理槽内の処理水について、散気装置からのエアレーションを行い、好気性処理を行った。
【００７６】
次に、第一好気性処理槽からの処理水約３５Ｌを、連続処理により既に処理水がある程度満たされている第二好気性処理槽へ移送させ、移送後約２時間に亘り好気性処理を行った。第二好気性処理槽においては好気性処理の他に、第二好気性処理槽と濾過処理槽Ａ又は濾過処理槽Ｂとの間で処理水を循環させて濾過処理も行った。２時間後、第二好気性処理槽からの処理水約３５Ｌを、連続処理により既に処理水が満たされている第三好気性処理槽へ移送させた。この移送により、第三好気性処理槽上部のオーバーフロー排出部に達した一部の処理水が装置の外に排出された。また、残りの処理水については、散気装置によりエアレーションを行い、好気性処理を行った。
【００７７】
このように、第一好気性処理槽からの処理水を２時間ごとに約３５Ｌずつ第二好気性処理槽に移送し、引き続き行われる好気性処理及び濾過処理を行うことで、うどん店から排出される一日分の有機排水を処理した。かかる有機排水の処理において、流入する有機排水及び各好気性処理槽から採水した処理水中に含まれるＴＯＣ濃度及び有機酸濃度の測定結果を以下表２に示す。
【００７８】
【表２】
2011235220.tif 000004
【００７９】
その結果、２０００ｍｇ／Ｌ以上を示す有機排水のＴＯＣ濃度が、好気性処理が進むにつれて低減し、最後の第三好気性処理槽においては、排水基準値（香川県）である１６０ｍｇ／Ｌを大きく下回る８６ｍｇ／Ｌを示した。さらに、うどん店からの排水のように、でんぷんが多く含まれる有機排水は好気性処理により有機酸が発生し、処理水のｐＨが低くなると共に有機酸自体の悪臭が問題となっていたが、第三好気性処理槽における好気性処理の後では有機酸はほとんど分解され、第三好気性処理槽内の処理水のｐＨもほぼ中性の値を示した。
【００８０】
本発明は、上記の実施形態及び実施例に限定されるものでなく、特許請求の範囲に記載された発明の要旨を逸脱しない範囲内での種々、設計変更した形態を技術的範囲に含まれるものである。
【符号の説明】
【００８１】
１、１０  有機排水の処理装置
２  第一好気性処理槽
２０  散気装置
２１  温度センサ
２２  微生物固定担体
２３  排出部
２４  流入部
３  第二好気性処理槽
３０  散気装置
３１  温度センサ
３２  微生物固定担体
３３  排出部
３５、３６  流入部
４、４ａ、４ｂ  濾過処理槽
４０ａ、４０ｂ  濾過材
４１ａ、４１ｂ  排出部
４２ａ、４２ｂ  流入部
５  第三好気性処理槽
５０  散気装置
５１  微生物固定担体
５２  排出部（流入部）
５３  オーバーフロー排出部
６  前処理槽
７  酵素添加装置
７０  薬液タンク
７１  酵素液
７２  パイプ
７３  ポンプ
８  ブロワ
８１、８２、８３  ブロワ管
Ｌ１〜Ｌ１７  流路
Ｐ１、Ｐ２  ポンプ
Ｗ０  処理すべき有機排水
Ｗ１、Ｗ２、Ｗ３、Ｗ４、Ｗ５、Ｗ６  処理水
【図１】
2011235220.tif 000005
【図２】
2011235220.tif 000006
【図３】
2011235220.tif 000007
【図４】
2011235220.tif 000008
【図５】
2011235220.tif 000009
【図６】
2011235220.tif 000010
【図７】
2011235220.tif 000011
【図８】
2011235220.tif 000012